(57)【要約】【課題】紙折れが発生した帳票を効率よく読み取る。【解決手段】帳票の画像データを取得する取得部と、取得部により取得された帳票の画像データをもとに、帳票の外形を検出する検出部と、検出部により検出された帳票の外形に基づいて、帳票が紙折れしているか否かを判定する判定部と、判定部により帳票が紙折れしていると判定された場合に、帳票の紙折れに関する情報を取得部により取得された帳票の画像データと対応付けて記憶媒体に記録する記録部と、を備える。【選択図】図１
2010204906.tif 000002
【特許請求の範囲】
【請求項１】
帳票の画像データを取得する取得部と、
前記取得部により取得された前記帳票の画像データをもとに、前記帳票の外形を検出する検出部と、
前記検出部により検出された前記帳票の外形に基づいて、前記帳票が紙折れしているか否かを判定する判定部と、
前記判定部により前記帳票が紙折れしていると判定された場合に、前記帳票の紙折れに関する情報を前記取得部により取得された前記帳票の画像データと対応付けて記憶媒体に記録する記録部と、
を備える帳票読取装置。
【請求項２】
前記検出部は、前記判定部により前記帳票が紙折れしていると判定された場合に、前記帳票の紙折れの位置と紙折れ量とを検出し、
前記記録部は、前記帳票の画像データと、前記検出部により検出された前記帳票の紙折れの位置と紙折れ量とを対応付けて記憶媒体に記録する、請求項１に記載の帳票読取装置。
【請求項３】
前記帳票の画像データは複数の画素を含み、
前記検出部は、前記画像データに含まれる複数の隣り合う画素の濃度変化量に基づいて前記帳票の境界領域を示す帳票境界座標データおよび前記帳票の帳票角の位置を示す帳票角座標データを取得する、請求項１または２のいずれかに記載の帳票読取装置。
【請求項４】
前記判定部は、前記検出部により検出された前記帳票角座標データに基づいて前記帳票の各辺が平行であるか否かを判定する、請求項３に記載の帳票読取装置。
【請求項５】
前記判定部は、前記検出部により検出された前記帳票角座標データが５つ以上取得され、前記帳票の各辺が平行である組み合わせが２つ以上であった場合に、前記帳票が紙折れしていると判定する、請求項３または４のいずれかに記載の帳票読取装置。
【請求項６】
前記判定部は、前記検出部により検出された前記帳票角座標データに基づいて、各帳票辺の傾きを算出し、該算出された傾きが一致する帳票辺間を平行であると判定する、請求項３〜５のいずれかに記載の帳票読取装置。
【請求項７】
前記取得部は、前記判定部により前記帳票が紙折れしていると判定された場合に、前記記憶部に記憶された前記帳票の紙折れの位置と紙折れ量をもとに、前記帳票の紙折れ部分の画像を白黒反転させて前記帳票の画像データとして取得する、請求項２〜６のいずれかに記載の帳票読取装置。
【請求項８】
前記取得部は、前記帳票の部分画像データおよび全体画像データを取得し、
前記記録部は、前記判定部により前記帳票が紙折れしていると判定された場合に、前記帳票の紙折れに関する情報を前記取得部により取得された前記全体画像データと対応付けて記憶媒体に記録する、請求項１〜７のいずれかに記載の帳票読取装置。
【請求項９】
帳票の画像データを取得するステップと、
前記取得された前記帳票の画像データをもとに、前記帳票の外形を検出するステップと、
前記検出された前記帳票の外形に基づいて、前記帳票が紙折れしているか否かを判定するステップと、
前記帳票が紙折れしていると判定された場合に、前記帳票の紙折れに関する情報を前記取得部により取得された前記帳票の画像データと対応付けて記憶するステップと、
を含む、帳票読取方法。
【発明の詳細な説明】
【技術分野】
【０００１】
本発明は、帳票読取装置および帳票読取方法に関し、特に、帳票の画像データを読み取り該帳票を分類する帳票読取装置および帳票読取方法に関する。
【背景技術】
【０００２】
従来、大量の帳票処理を効率よく行うため、帳票に記載されたデータを読み取り、該帳票を分類したり、集計等の処理を自動化したりすることが行われている。特に、病院や診療所などの医療機関においては、月ごとにレセプトと呼ばれる極めて大量の診療報酬明細書の処理に追われ、遅滞のない迅速な処理を行うことが望まれている。大量の帳票を遅延なく高速に処理するために、例えば、特許文献１の帳票分類処理方法が開示されている。特許文献１では、伝票等の帳票に記載された文字を読み取り、該帳票を多数のポケットに分類し仕分け収納して、集計等の処理を効率よく行っている。
【０００３】
また、帳票納入先への便宜やサービスを図るために、例えば、特許文献２の帳票分類処理方法が開示されている。特許文献２では、帳票を読み取る際に、帳票全面の画像を取得し、かつ、部分的な帳票データの読み取りを行って電子媒体記録装置に格納している。そして、紙媒体のみを必要とする利用者には、紙帳票と集計データとを提供する。また、紙媒体を不要とし、電子媒体のみを希望とする利用者にはデータが格納された電子媒体を提供する。さらに、紙媒体も電子媒体も必要な利用者には、紙媒体と電子媒体とを提供することにより、各帳票納入先に適した媒体を納品することが可能となる。
【先行技術文献】
【特許文献】
【０００４】
【特許文献１】特開平８−２７２８８４号公報
【特許文献２】特開２００６−０８５５５４号公報
【発明の概要】
【発明が解決しようとする課題】
【０００５】
ここで、帳票を読み取る際に、紙折れが発生して帳票の記載内容の一部が隠れてしまい、紙折れが問題になる場合と、紙折れが発生していても、帳票の記載内容は隠れることなく紙折れが問題にならない場合とがある。通常、紙折れが発生した場合には、無効帳票として処理している。しかし、無効帳票のなかには、上記したように紙折れが発生しても帳票の記載内容のすべてを読み取ることが可能な帳票もあり、紙折れしている帳票のすべてを無効帳票として処理すると業務効率が低下するという問題があった。
【０００６】
そこで、本発明は、上記問題に鑑みてなされたものであり、本発明の目的とするところは、紙折れが発生した帳票を効率よく読み取ることが可能な、新規かつ改良された帳票読取装置、帳票読取方法を提供することにある。
【課題を解決するための手段】
【０００７】
上記課題を解決するために、本発明のある観点によれば、帳票の画像データを取得する取得部と、取得部により取得された帳票の画像データをもとに、帳票の外形を検出する検出部と、検出部により検出された帳票の外形に基づいて、帳票が紙折れしているか否かを判定する判定部と、判定部により帳票が紙折れしていると判定された場合に、帳票の紙折れに関する情報を取得部により取得された帳票の画像データと対応付けて記憶媒体に記録する記録部と、を備える帳票読取装置が提供される。
【０００８】
かかる構成によれば、帳票の画像データをもとに帳票の外形を検出し、帳票の外形に基づいて該帳票が紙折れしているか否かを判定する。そして、帳票が紙折れしていると判定された場合には、帳票の紙折れに関する情報を帳票の画像データと対応付けて記憶媒体に記録する。これにより、帳票を読み取る際に、紙折れが発生している帳票を無効帳票とせずに読み取って、業務効率を向上することが可能となる。また、紙折れに関する情報として、紙折れの発生位置と紙折れ量とを記憶することにより、オペレータが読み取りデータを目視確認を行う際の利便性を図ることができる。
【０００９】
また、上記検出部は、判定部により帳票が紙折れしていると判定された場合に、帳票の紙折れの位置と紙折れ量とを検出し、記録部は、帳票の画像データと、検出部により検出された帳票の紙折れの位置と紙折れ量とを対応付けて記憶媒体に記録してもよい。
【００１０】
また、帳票の画像データは複数の画素を含み、検出部は、画像データに含まれる複数の隣り合う画素の濃度変化量に基づいて帳票の境界領域を示す帳票境界座標データおよび帳票の帳票角の位置を示す帳票角座標データを取得してもよい。
【００１１】
また、上記判定部は、検出部により検出された帳票角座標データに基づいて帳票の各辺が平行であるか否かを判定するようにしてもよい。
【００１２】
また、上記判定部は、検出部により検出された帳票角座標データが５つ以上取得され、帳票の各辺が平行である組み合わせが２つ以上であった場合に、帳票が紙折れしていると判定するようにしてもよい。
【００１３】
また、上記判定部は、検出部により検出された帳票角座標データに基づいて、各帳票辺の傾きを算出し、該算出された傾きが一致する帳票辺間を平行であると判定するようにしてもよい。
【００１４】
また、上記取得部は、判定部により帳票が紙折れしていると判定された場合に、記憶部に記憶された帳票の紙折れの位置と紙折れ量をもとに、帳票の紙折れ部分の画像を白黒反転させて帳票の画像データとして取得するようにしてもよい。
【００１５】
また、上記取得部は、帳票の部分画像データおよび全体画像データを取得し、記録部は、判定部により帳票が紙折れしていると判定された場合に、帳票の紙折れに関する情報を取得部により取得された全体画像データと対応付けて記憶媒体に記録するようにしてもよい。
【００１６】
また、上記課題を解決するために、本発明の別の観点によれば、帳票の画像データを取得するステップと、取得された帳票の画像データをもとに、帳票の外形を検出するステップと、検出された帳票の外形に基づいて、帳票が紙折れしているか否かを判定するステップと、帳票が紙折れしていると判定された場合に、帳票の紙折れに関する情報を取得部により取得された帳票の画像データと対応付けて記憶するステップと、を含む、帳票読取方法が提供される。
【発明の効果】
【００１７】
以上説明したように本発明によれば、紙折れが発生した帳票を効率よく読み取ることができる。
【図面の簡単な説明】
【００１８】
【図１】本発明の一実施形態にかかる帳票読取システムの概要を説明する説明図である。
【図２】同実施形態にかかるレセプト納入サービスを概念的に示す模式図である。
【図３】同実施形態にかかる帳票読取装置の機能構成を示すブロック図である。
【図４】同実施形態にかかる帳票読取装置の機能を概念的に示す模式図である。
【図５】同実施形態にかかるシステム制御装置の機能構成を示すブロック図である。
【図６】同実施形態にかかる業務設定テーブルの構成を示すブロック図である。
【図７】同実施形態にかかる帳票読取装置の認識部の構成を示すブロック図である。
【図８】同実施形態にかかる帳票分類読取処理の流れを示すフローチャートである。
【図９】同実施形態にかかる分類読取処理の詳細を示すフローチャートである。
【図１０】同実施形態にかかるポケット設定テーブルの内容を説明する説明図である。
【図１１】同実施形態にかかる読取設定テーブルの内容を説明する説明図である。
【図１２】同実施形態にかかる部分画像設定テーブルの内容を説明する説明図である。
【図１３】同実施形態にかかる全面画像設定テーブルの内容を説明する説明図である。
【図１４】同実施形態にかかるサービス設定テーブルの内容を説明する説明図である。
【図１５】同実施形態にかかる無効帳票設定テーブルの内容を説明する説明図である。
【図１６】同実施形態にかかる形状判定部による判定例を説明する説明図である。
【図１７】同実施形態にかかる紙折れ情報について説明する説明図である。
【図１８】同実施形態にかかる部分画像データを説明する説明図である。
【図１９】同実施形態にかかる全面画像データを説明する説明図である。
【図２０】同実施形態にかかる読取データの内容を説明する説明図である。
【図２１】同実施形態にかかる部分画像データの内容を説明する説明図である。
【図２２】同実施形態にかかる全面画像データの内容を説明する説明図である。
【図２３】同実施形態にかかる請求点合算データの内容を説明する説明図である。
【図２４】同実施形態にかかる利用者に提供するリストの内容を説明する説明図である。
【図２５】同実施形態にかかる利用者に提供する電子媒体に書き込まれた内容を説明する説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、以下に示す順序に従って、当該「発明を実施するための形態」を説明する。
〔１〕本実施形態の目的
〔２〕帳票読取装置の概要
〔３〕帳票読取装置の構成
〔４〕帳票読取処理の詳細
【００２１】
〔１〕本実施形態の目的
【００２２】
まず、本発明の実施形態の目的について説明する。従来、大量の帳票処理を効率よく行うため、帳票に記載されたデータを読み取り、該帳票を分類したり、集計等の処理を自動化したりすることが行われている。特に、病院や診療所などの医療機関においては、月ごとにレセプトと呼ばれる極めて大量の診療報酬明細書の処理に追われ、遅滞のない迅速な処理を行うことが望まれている。大量の帳票を遅延なく高速に処理するために、伝票等の帳票に記載された文字を読み取り、該帳票を多数のポケットに分類し仕分け収納して、集計等の処理を効率よく行う技術が開示されている。
【００２３】
また、帳票納入先への便宜やサービスを図るために、例えば、帳票を読み取る際に、帳票全面の画像を取得し、かつ、部分的な帳票データの読み取りを行って電子媒体記録装置に格納する技術が開示されている。そして、紙媒体のみを必要とする利用者には、紙帳票と集計データとを提供する。また、紙媒体を不要とし、電子媒体のみを希望とする利用者にはデータが格納された電子媒体を提供する。さらに、紙媒体も電子媒体も必要な利用者には、紙媒体と電子媒体とを提供することにより、各帳票納入先に適した媒体を納品することが可能となる。
【００２４】
ここで、帳票を読み取る際に、紙折れが発生して帳票の記載内容の一部が隠れてしまい、紙折れが問題になる場合と、紙折れが発生していても、帳票の記載内容は隠れることなく紙折れが問題にならない場合とがある。通常、紙折れが発生した場合には、無効帳票として処理している。しかし、無効帳票のなかには、上記したように紙折れが発生しても帳票の記載内容のすべてを読み取ることが可能な帳票もあり、紙折れしている帳票のすべてを無効帳票として処理すると業務効率が低下するという問題があった。
【００２５】
そこで、本発明は、上記のような事情を一着眼点として、本発明の実施形態にかかる帳票読取システム１００が創作されるに至った。本実施形態にかかる帳票読取システム１００によれば、紙折れが発生した帳票を効率よく読み取ることが可能となる。
【００２６】
〔２〕帳票読取装置の概要
次に、図１および図２を参照して、本発明の一実施形態にかかる帳票読取システム１００の概要について説明する。図１は、帳票読取システム１００の概要を説明する説明図である。以下では、医療機関で処理されるレセプト（診療報酬明細書）を帳票の具体例として説明するが、本発明で処理される帳票はレセプトに限定されず種々の帳票を例示できる。図１に示したように、帳票読取システム１００は、帳票読取装置１、システム制御装置２、修正端末３、プリンタ４、電子媒体作成装置５などを備える。
【００２７】
帳票読取装置１は、レセプトの記載内容を読み取り、レセプトの分類を行う機能を有する。また、レセプトの部分画像および全面画像を取得する機能を有する。
【００２８】
システム制御装置２は、帳票読取システム１００全体の制御と帳票読取装置１により取得されたレセプトの読取結果と部分画像と全面画像とを保持する機能を有する。
【００２９】
修正端末３は、オペレータによりレセプトの読取結果とレセプトの部分画像とを見ながら読取結果の修正入力がなされ、クリアデータ（修正データ）を作成する機能を有する。
【００３０】
プリンタ４は、読取結果を集計したレセプトの請求点の合計を印刷する機能を有する。電子媒体作成装置５は、レセプトの読取結果および修正されたクリアデータ、部分画像、全体画像をＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｎｄａｍ  Ａｃｃｅｓｓ  Ｍｅｍｏｒｙ）等の電子媒体に記録する機能を有する。
【００３１】
次に、図２を参照して、帳票読取システム１００を利用したレセプト納入サービスについて説明する。図２は、レセプト納入サービスを概念的に示す模式図である。図２に示したように、帳票読取装置１は、分類前のレセプト４０の記載内容を１枚ずつ読み取り、納入先Ａ、Ｂ、Ｃ・・・別に分類化する。読取時に読取エラーが発生したレセプトの各項目については、修正画像が作成される。また、システム制御装置２は、帳票読取装置１で読み取られたレセプト４０の読取データと修正画像を保持する。
【００３２】
そして、上記したように、修正端末３によりクリアデータが作成されたり、プリンタ４により読取結果を集計した請求点の合計が印刷されたりする。さらに、電子媒体作成装置５によりレセプトの読取結果等が電子媒体に記録される。例えば納入先Ａがレセプトの束４５と請求点合計額４６が必要な場合は、レセプトの束４５と請求点合計額４６を納入品４７として納入先Ａに納品する。また、納入先Ｂが、読取結果等が記録された電子媒体４７のみが必要な場合は、電子媒体４７を納入品４２として納入先Ｂに納品する。また、納入先Ｃが、レセプトの束４５と請求点合計額４６と電子媒体４７が必要な場合は、レセプトの束４５と請求点合計額４６と電子媒体４７を納入品４３として納入先Ｃに納品する。
【００３３】
次に、図３および図４を参照して、帳票読取装置１の概要について説明する。図３は、帳票読取装置１の機能構成を示すブロック図である。また、図４は帳票読取装置１の機能を概念的に示す模式図である。図３に示したように、帳票読取装置１は、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９、認識部２０、設定テーブル２１などを備える。
【００３４】
搬送機構１６は、図４に示したレセプト４０の束を所定位置まで搬送する機能を有する。搬送制御部１５は、搬送機構１６を制御する機能を有する。撮像機構１８は、搬送機構１６より搬送されてきたレセプト４０を１枚ずつイメージとして読み取る機能を有する。撮像制御部１７は、撮像機構１８を制御する。
【００３５】
認識部２０は、撮像機構１８で読み取られた画像イメージを認識する機能を有する。ナンバリング機構１４は、撮像機構１８により読み取られたレセプト４０に番号を付与する機能を有する。ナンバリング制御部１３は、ナンバリング機構１４を制御する機能を有する。ポケット機構１２は、ナンバリング機構１４により番号が付与されたレセプト４０を複数の納入先（Ａ、Ｂ、Ｃ・・・）別に仕分けして収納する機能を有する。ポケット制御部１１は、ポケット機構１２を制御する機能を有する。
【００３６】
制御ユニット１０は、上記した各機構および各制御部が接続され、これらの動作や制御を統括する機能を有する。また、制御ユニット１０には、ページ番号記憶部１９および設定テーブル２１が格納されている。
【００３７】
次に、図５および図６を参照して、システム制御装置２の概要について説明する。図５は、システム制御装置２の機能構成を示すブロック図である。図５に示したように、システム制御装置２は、業務ＡＰ部５０により統括されている。業務ＡＰ部５０は、プログラムソフトウェアおよびファイルからなる業務設定テーブル５１、プログラム部５２、読取結果記憶部５３、部分画像記憶部５４、全面画像記憶部５５、合計額記憶部５６、電子媒体イメージ記憶部５７、プリンタチャネル７０、電子媒体チャネル７１などを格納している。
【００３８】
図６は、業務設定テーブル５１の構成を示すブロック図である。業務設定テーブル５１には、ポケット設定テーブル８０、読取設定テーブル８１、部分画像設定テーブル８２、全面画像設定テーブル８３、サービス設定テーブル８４、無効帳票設定テーブル８５などからなる。
【００３９】
サービス設定テーブル８４には、代行機関から健康保険組合など複数の納入先（Ａ、Ｂ、Ｃ・・・）に納入されるレセプト４０の形態について、電子媒体にするか紙のレセプトにするかの選択を設定するための情報が格納されている。また、サービス設定テーブル８４には、選択された納入形態によりレセプトを作成するための作成ファイルおよびプログラムソフトが格納されている。
【００４０】
また、読取設定テーブル８１、部分画像設定テーブル８２および全面画像設定テーブル８３は、レセプトに記載された請求金額を簡便かつ能率的に審査するための支援データファイルおよびプログラムソフトウェアからなる。すなわち、上述したように、代行機関から複数の納入先（Ａ、Ｂ、Ｃ・・・）に納入されるレセプト４０は、レセプト４０に記載された請求額が妥当かどうか請求内容を審査する必要がある。納入先に持ち込まれた大量の今月次分のレセプトと過去のレセプトを対照させてチェックする際に、双方のレセプトを紙上で比較するのは非常に困難である。このような場合に、紙上での比較が困難な請求額の審査を支援する。これにより、審査支援データを納入先（Ａ、Ｂ、Ｃ・・・）別に分類したり設定したりすることが可能となっている。
【００４１】
〔３〕帳票読取装置の構成の詳細
以上、帳票読取システム１００の概要について説明した。次に、図７を参照して、帳票読取装置１の構成について説明する。以下では、特に、本実施形態における帳票読取装置１の特徴的な構成である認識部２０の構成について詳細に説明する。
【００４２】
図７に示したように、認識部２０は、帳票外形検出部４０１、形状判定部４０２、紙折れ情報記憶部４０３、濃度補正部４０４、補正画像記憶部４０５、読取部４０６、部分画像作成部４０７、全面画像作成部４０８などを備える。
【００４３】
帳票外形検出部４０１は、上記した撮像機構１８により撮像された帳票の画像データをもとに、帳票の外形を検出する機能を有する。具体的には、帳票の画像データに含まれる帳票辺を検出する。帳票外形検出部４０１は、本発明の検出部の一例である。また、上記した撮像機構１８および撮像制御部１７は、本発明の取得部の一例である。帳票外形検出部４０１による帳票の外形検出方法については、後で詳細に説明する。
【００４４】
形状判定部４０２は、帳票外形検出部４０１により検出された帳票の外形に基づいて、帳票が紙折れしているか否かを判定する機能を有する。具体的には、帳票外形検出部４０１により検出された帳票辺から、帳票の形状を判別すると共に、紙折れの発生箇所を特定する機能を有する。形状判定部４０２は、本発明の判定部の一例である。形状判定部４０２による帳票の形状の判定方法については、後で詳細に説明する。
【００４５】
紙折れ情報記憶部４０３は、形状判定部４０２により帳票が紙折れしていると判定された場合に、帳票の紙折れに関する情報を帳票の画像データと対応付けて記録する機能を有する。帳票の紙折れに関する情報とは、帳票の紙折れの位置と紙折れ量の情報などである。紙折れ情報記憶部４０３は、本発明の記録部の一例である。
【００４６】
濃度補正部４０４は、画像の輪郭を強調する機能を有する。補正画像記憶部４０５は、濃度補正部４０４により輪郭が強調されて補正された画像を記憶する機能を有する。読取部４０６は、帳票の記載内容に基づいて、読取結果を出力する機能を有する。部分画像作成部４０７は、帳票の各項目の部分画像を切出して出力する機能を有する。全面画像作成部４０８は、帳票の全面画像を切出して出力する機能を有する。
【００４７】
〔４〕帳票読取処理の詳細
以上、認識部２０の構成について説明した。次に、図８を参照して、帳票読取システム１００における帳票分類読取処理について説明する。図８は、帳票読取システム１００における帳票分類読取処理の流れを示すフローチャートである。図８に示したように、まず、図４に示したように、レセプト４０の束が搬送機構１６上に配置される。そして、入力装置（図示せず）から、システム制御装置２にレセプト４０の読取開始を指示する読取指示信号が出力される。読取指示信号を受け付けたシステム制御装置２は、まず、業務設定テーブル５１を構成するポケット設定テーブル８０、読取設定テーブル８１、部分画像設定テーブル８２、全面画像設定テーブル８３、サービス設定テーブル８４、無効帳票設定テーブル８５をそれぞれ帳票読取装置１に転送する。また、ページ番号記憶部１９のページ番号データを「０」に初期化する（Ｓ１）。
【００４８】
図１０は、ポケット設定テーブル８０の一例である。図１１は、読取設定テーブル８１の一例である。図１２は、部分画像設定テーブル８２の一例である。図１３は、全面画像設定テーブル８３の一例である。図１４は、サービス設定テーブル８４の一例である。図１５は、無効帳票設定テーブル８５の一例である。
【００４９】
ステップＳ１において、システム制御装置２によりポケット設定テーブル８０等の各テーブルを転送された帳票読取装置１の制御ユニット１０は、分類読取処理を実行する（Ｓ２）。ここで、図９を参照して、図８のステップＳ２における分類読取処理の詳細について説明する。図９は、分類読取処理の詳細を示すフローチャートである。
【００５０】
図９に示したように、帳票読取装置１の制御ユニット１０は、各テーブルをメモリ（図示せず）に一時的に格納して、レセプト４０の読取開始を指示する読取開始信号を搬送制御部１５に送信する（Ｓ１０１）。
【００５１】
ステップＳ１０１において送信された読取開始信号を受信した搬送制御部１５は、搬送機構１６を駆動させる。具体的には、搬送制御部１５は、搬送機構１６に配置されたレセプト４０の束を１枚ずつ装置内に搬送させる（Ｓ１０２）。
【００５２】
ステップＳ１０２において、レセプトが１枚ずつ搬送されて撮像機構１８を通過すると、制御ユニット１０は、搬送されたレセプトの撮像を指示する撮像指示信号を撮像制御部１７に出力する。制御ユニット１０から撮像指示信号を受け取った撮像制御部１７は、撮像機構１８を制御して、搬送されたレセプトを光学的に読み取って、読取画像データを取得する（Ｓ１０３）。
【００５３】
ステップＳ１０３において読み取られる読取画像データは、少なくとも、氏名、性別、生年月日、傷病欄、摘要欄、請求点、一部負担金、記号番号、診療実日数、診療開始日、傷病名の内容を含む画像データである。また、読取画像データは、黒色の背景を含む画像データである。さらに、読取画像データは、複数の画素により構成され、各画素の濃度が０〜２５５までの数値（以下、濃度値）で表された画像データである。
【００５４】
制御ユニット１０は、ステップＳ１０３において読取画像データが取得されると、読取画像データを認識部２０に伝送する。このとき、制御ユニット１０は、ページ番号記憶部１９のページ番号データに「１」を加算してページ番号データを更新する。
【００５５】
そして、制御ユニット１０から読取画像データを受け取った認識部２０の帳票外形検出部４０１は、帳票の外形を検出する（Ｓ１０４）。ステップＳ１０４において、帳票外形検出部４０１は、読取画像データを構成する複数の画素から濃度変化量の算出対象として、１画素を選択して、選択画素の濃度を取得する。そして、選択画素の上、下、左、右に隣接する隣接画素の濃度値をそれぞれ取得する。
【００５６】
そして、取得した各画素の濃度値から、選択画素および隣接画素間の濃度変化量を算出する。そして、濃度変化量が算出されると、メモリから基準変化量データを取得するとともに、算出された濃度変化量および基準変化量を比較する。比較した濃度変化量が基準変化量より大きい場合には、該選択画素を帳票境界領域と判定し、該選択画素の座標値を帳票および背景の境界を示す境界座標データとして取得する。
【００５７】
一方、比較した濃度変化量が基準変化量より小さい場合には、該選択画素を非帳票境界領域と判定し、該選択画素の境界座標データの取得は行わない。帳票外形検出部４０１は、引き続き、隣接する画素について、同様の検出処理を行うことにより、帳票辺を追跡する。そして、帳票外形検出部４０１は、上記した検出処理を実行することにより取得した各境界座標データおよび各帳票角座標データをメモリ（図示せず）に格納する。
【００５８】
次に、ステップＳ１０４において検出された帳票の外形をもとに、形状判定部４０２は、帳票の形状を判定する（Ｓ１０５）。形状判定部４０２による判定例について、図１６を参照して説明する。帳票外形検出部４０１により帳票角座標データが４つ取得され、各帳票角の角度が直角であり、かつ、帳票角座標データに基づいて特定される帳票辺が平行である場合には、正常と判定する。図１６の判定例４１２ａは、正常と判定された帳票の画像データの一例である。一方、帳票角座標データが４つ取得されるが、各帳票角の角度が直角でない場合いは、蛇行による異常と判定する。図１６の判定例４１２ｄは、蛇行による異常と判定された帳票の画像データの一例である。
【００５９】
また、帳票角座標データが５つ以上取得された場合には、帳票辺が平行な組み合わせが２つ以上存在する場合に紙折れと判定する。図１６の判定例４１２ｃは、紙折れと判定された帳票の画像データの一例である。帳票角座標データが５つ以上取得されるが、帳票辺が平行な組み合わせが２つ以上存在しない場合には、重走と判定する。図１６の判定例４１２ｄは、重走と判定された帳票の画像データの一例である。本実施形態では、紙折れの場合には「正常」と判定し、重走の場合には「異常」と判定する。紙折れと判定した場合には、紙折れの位置と紙折れの量を示す値を紙折れ情報記憶部４０３に格納する。
【００６０】
上記紙折れの位置と紙折れ量は、図１７の判定例４２３に示したように、隣り合う２辺を延長した交点（◎）と帳票角座標（☆）との距離によって算出する。図１７に示した実施形態では、判定例４２３の左上角の、紙折れ量ｘ、紙折れ量ｙを算出している。算出結果は、紙折れ情報４２４として格納される。
【００６１】
ここで、上記した各帳票の角度は、特定された各帳票角座標データをアークタンジェント等の三角関数を適用することにより算出することができる。また、角帳票辺が平行であるか否かは、例えば、取得された帳票角座標データに基づいて特定される各帳票辺の傾きを算出し、算出された傾きが一致するか否かにより求めることができる。すなわち、算出された傾きが一致する場合には帳票辺間を平行であると判定し、算出された傾きが不一致である場合には帳票辺間を平行でないと判定する。
【００６２】
ステップＳ１０５において、形状判定部４０２により「異常」と判定された場合には、制御ユニット１０は、形状異常（蛇行または重走）による無効な読取画像データとして、形状異常を示すデータにナンバリング指示信号をナンバリング制御部１３に出力する。ナンバリング制御部１３は、制御ユニット１０から形状異常のナンバリング指示信号を受けると、形状異常を示す画像判定結果データを生成する。そして、生成した画像判定結果データをナンバリング機構１４に転送する。ナンバリング機構１４は、搬送機構１６により搬送されてきたレセプト４０に対して、受け付けた画像判定結果データが示す形状異常を示すデータの印字処理を行う（Ｓ１０６）。
【００６３】
ステップＳ１０６において、ナンバリング機構１４によりレセプト４０に印字処理が行われると、制御ユニット１０は、「異常」と判定されたレセプト４０を所定のポケットに分類すべく、ポケット制御部１１に画像判定結果データを転送する。画像判定結果データを転送されたポケット制御部１１は、画像判定結果データに基づいて、無効帳票設定テーブル８５を参照して、対応するポケット番号データを取得する。そして、取得したポケット番号データをポケット機構１２に転送する。
【００６４】
ポケット制御部１１からポケット番号データを受け取ったポケット機構１２は、ポケット番号データを示すポケット番号のポケットに搬送されたレセプトを排出して「無効」の帳票として分類する（Ｓ１０７）。本実施形態では、図１５に示した無効帳票設定ポケット９１に形状異常のレセプト４０が排出される。
【００６５】
制御ユニット１０は、搬送機構１６に配置されているレセプト４０がなくなるまで、上記した読取分類処理を繰り返し実行する（Ｓ１１７）。
【００６６】
一方、ステップＳ１０５において、形状判定部４０２により「正常」と判定された場合には、制御ユニット１０は、濃度補正開始指示信号を濃度補正部４０４に出力する。濃度補正部４０４は、制御ユニット１０から濃度補正開始指示信号を受け取ると、読取画像データに対して輪郭を強調するための補正処理を実行する（Ｓ１１０）。ステップＳ１１０における輪郭強調補正処理は、例えば、ラプラシアン法等を適用することができる。濃度補正部４０４は、輪郭強調補正処理を完了すると、補正した読取画像データを補正画像記憶部４０５に格納する。
【００６７】
そして、読取部４０６は、帳票の各項目内容を文字認識して読取データを取得する（Ｓ１１１）。具体的には、読取部４０６は、ステップＳ１１０において補正画像記憶部４０５に補正された読取画像データが格納されると、格納された読取画像データの文字認識を行う。また、文字認識された保険者識別データに基づいて、読取設定テーブル８１を参照する。そして、読取設定テーブル８１の読取要否データが「○」で示されている項目の項目内容を文字認識し、文字認識された保険者識別データおよび項目内容を示す読み取りデータを取得する。
【００６８】
そして、認識部２０の部分画像作成部４０７は、ステップＳ１１１において読取部４０６が読取データを取得すると、帳票の項目内容を含む部分画像データを作成する（Ｓ１１２）。具体的には、部分画像作成部４０７は、文字認識された保険者識別データに基づいて、部分画像設定テーブル８２を参照する。そして、部分画像設定テーブル８２の部分画像取得要否データが「○」で示されている項目の項目内容を含む部分画像データを読取画像データから抽出するとともに、該保険者識別データを含む部分画像データを作成する。図１８は、部分画像作成部４０７により作成された部分画像データの一例である。
【００６９】
そして、認識部２０の全面画像作成部４０８は、ステップＳ１１２において部分画像作成部４０７が部分画像データを作成すると、全面画像取得要否データが「○」か否かを判定する（Ｓ１１３）。ステップＳ１１３における判定は、全面画像作成部４０８が、文字認識された保険者識別データに基づいて、全面画像設定テーブル８３の全面画像取得要否データを参照することにより行われる。
【００７０】
図１９は、全面画像作成部４０８による全面画像作成処理を説明する説明図である。図１９に示したように、まず黒色の背景を含む全面画像４４１が取得される。全面画像４４２には、ステップＳ１０４において検出された帳票の外形検出座標が示されている。そして、全面画像４４２において示されている帳票の外形検出座標をもとに、全面画像データの黒色の背景が除去されて全面画像４４３が取得される。
【００７１】
図９に戻り、ステップＳ１１３において、全面画像取得要否データが「○」であると判定された場合には、帳票の全項目内容を含む全面画像データを作成する（Ｓ１１４）。一方、ステップＳ１１３において、全面画像取得要否データが「○」ではないと判定された場合には、全面画像データの作成はせずにステップＳ１１５の処理を実行する。
【００７２】
また、ステップＳ１１４において、全面画像作成部４０８は、紙折れ情報記憶部４０３に格納された紙折れ情報を全面画像データ内の紙折れと判断された帳票と対応付けて記憶する。さらに、全面画像作成部４０８は、紙折れと判断された帳票の紙折れの部分を黒画素から白画素に置き換える。これにより、原本の復元性がよくなり、紙折れの折れ量が軽微である場合には紙折れしていない場合とほぼ同様の全面画像データを取得することが可能となる。
【００７３】
そして、制御ユニット１０は、全面画像作成部４０８が全面画像データを作成した場合には、ページ番号記憶部１９を参照し、ページ番号データを取得する。そして取得したページ番号データに対応する、ステップＳ１１１において取得された読取データ、ステップＳ１１２において作成された部分画像データ、ステップ１１４において作成された全面画像データをシステム制御装置２に転送する。また、全面画像作成部４０８が全面画像データを作成しなかった場合には、ページ番号データを取得するとともに、ページ番号データに対応する読取データ、部分画像データをシステム制御装置２に転送する。
【００７４】
システム制御装置２の業務ＡＰ部５０は、ページ番号データ、読取データ、部分画像データ、全面画像データをそれぞれ受け取ると、受け取ったデータを各ページ番号データに対応付けて記憶する。具体的には、読取データはページ番号データに対応付けて読取結果記憶部５３に格納される。図２０は、読取結果記憶部５３に格納された読取データの内容を示す一例である。また、部分画像データはページ番号データに対応付けて部分画像記憶部５４に格納される。図２１は、部分画像記憶部５４に格納された部分画像データの内容を示す一例である。また、全面画像データはページ番号データに対応付けて全面画像記憶部５５に格納される。図２２は、全面画像記憶部５５に格納された全面画像データの内容を示す一例である。
【００７５】
帳票読取装置１の制御ユニット１０は、読取データ等をシステム制御装置２に転送すると、引き続き読取データ等とレセプト４０とを対応づけるべく、ページ番号のナンバリングを指示するナンバリング指示信号をナンバリング制御部１３に転送する。
【００７６】
ナンバリング制御部１３は、ナンバリング指示信号を受けると、ページ番号記憶部１９のページ番号データを参照し、ページ番号データをナンバリング機構１４に転送する。ナンバリング機構１４は、受け付けたページ番号データが示すページ番号を搬送機構１６により搬送されてきたレセプト４０に対して印字処理を行う（Ｓ１１５）。
【００７７】
ステップＳ１１５において、ナンバリング機構１４が、レセプト４０に印字処理を行うと、制御ユニット１０はレセプト４０を各保険者用のポケットに分類すべく、ポケット制御部１１に分類指示信号を転送する。ポケット制御部１１は、制御ユニット１０から分類指示信号を受けると、レセプト４０の納入先となる保険者を識別すべく、保険者識別データの要求信号をシステム制御装置２に転送する。
【００７８】
システム制御装置２の業務ＡＰ部５０は、ポケット制御部１１から保険者識別データの要求信号を受けると、読取結果記憶部５３に格納されている読取データのうち、最後のページ番号データに対応付けられた読取データの保険者識別データを取得する。そして、取得された保険者識別データをポケット制御部１１に転送する。
【００７９】
ポケット制御部１１は、業務ＡＰ５０から保険者識別データを受けると、保険者識別データに基づいて、ポケット設定テーブル８０を参照し、対応するポケット番号データを取得するとともに、取得したポケット番号データをポケット機構１２に転送する。ポケット機構１２は、ポケット制御部１１からポケット番号データを受けると、ポケット番号データが示すポケット番号のポケットに搬送されたレセプトを排出し、分類する（Ｓ１１６）。
【００８０】
制御ユニット１０は、搬送機構１６に配置されているレセプト４０が無くなるまで、上記したような読取分類処理を繰り返し実行する。レセプト４０が搬送機構１６からなくなった場合には読取分類処理を終了する（Ｓ１１７）。
【００８１】
図８に戻り、制御ユニット１０が読取分類処理を完了すると、各読取データが正確にレセプトに記載された項目内容を示しているかを確認、修正する（Ｓ３）。ステップＳ３において、修正端末３は、読取データおよび部分画像データの要求信号をシステム制御装置２に転送する。
【００８２】
修正端末３から読み取りデータおよび部分画像データの要求信号を受けたシステム制御装置２の業務ＡＰ部５０は、最先のページ番号を示すページ番号データに基づいて、読取結果記憶部５３および部分画像記憶部５４をそれぞれ参照する。そして、同一の番号データが付された読取データおよび部分画像データをそれぞれ取得し、取得した読取データおよび部分画像データを修正端末３に送信する。
【００８３】
システム制御装置２の業務ＡＰ部５０から読取データおよび部分画像データを受信した修正端末３は、読取データおよび部分画像データに基づいて、読取データが示す各項目内容を修正可能な修正画面データを生成する。そして、生成された修正画面データに基づいて、修正画面を表示部（図示せず）に表示する。
【００８４】
修正端末３のオペレータは、修正画面を参照し、文字認識に失敗した読取データの項目内容等を、入力部（図示せず）を介して修正する。オペレータにより上記した読取データの修正確認が行われ、すべての読取データの修正確認が完了すると、修正端末３は、修正確認完了を示す修正確認完了信号をシステム制御装置２に送信する。
【００８５】
修正端末３から修正確認完了信号を受信したシステム制御装置２の業務ＡＰ部５０は、引き続き、各保険者に対して請求すべき金額を算出して、請求点合算データを生成する（Ｓ４）。ステップＳ４において、業務ＡＰ部５０は、読取結果記憶部５３の読取データを参照し、同一の保険者番号を有する読取データが示す請求点を合計し、各保険者別の請求点合計を示す請求点合算データを生成する。そして、生成した請求点合算データを合計額記憶部５６に格納する。
【００８６】
図２３に、合計額記憶部５６に格納される請求点合算データの一例を示した。図２３に示したように、合計額記憶部５６には、保険者Ａ、保険者Ｂ、保険者Ｃ毎の請求点の合計を示す請求点合算データ群が格納されている。
【００８７】
業務ＡＰ部５０は、サービス設定テーブル８４を参照して、リスト提供が「○」となっている保険者Ａおよび保険者Ｃのそれぞれに対して提供すべきリストを印刷処理する（Ｓ５）。ここで、ステップＳ５におけるリストの印刷処理について、保険者Ｃに対してリストの印刷処理を例示して説明する。
【００８８】
業務ＡＰ部５０は、保険者Ｃの保険者識別データに基づいて、読取結果記憶部５３を参照して、同一の保険者番号を有する読取データを抽出する。そして、抽出された読取データをリスト化して、読取リストデータを作成する。同様に、業務ＡＰ部５０は、保険者Ｃの保険者識別データに基づいて、部分画像記憶部５４を参照し、同一の保険者Ｃの保険者識別データに基づいて、部分画像記憶部５４を参照して、同一の保険者番号を有する部分画像データを抽出する。そして、抽出した部分画像データをリスト化して、部分画像リストデータを作成する。
【００８９】
さらに、業務ＡＰ部５０は、保険者Ｃの保険者識別データに基づいて、合計額記憶部５６を参照し、請求点合算データ群から、同一の保険者番号を有する請求点合算データを取得する。そして、業務ＡＰ部５０は、取得した請求点合算データ、作成した読取リストデータおよび部分画像リストデータに基づいて、請求点合算結果、読取リスト、部分画像リストをそれぞれ示す印刷データを生成し、プリンタチャネル７０を介して生成した印刷データをプリンタ４に送信する。
【００９０】
印刷データを受信したプリンタ４は、受信した印刷データに基づいて、印刷処理を実行し、図２４に示した保険者Ｃに提供すべきリストを作成する。図２４に示したように、リストには、保険者Ｃの合算データ、保険者Ｃの読取データ、保険者Ｃの部分画像が印刷される。
【００９１】
業務ＡＰ５０は、リストの提供対象である全保険者のリスト印刷が完了すると、次に、サービス設定テーブル８４を参照して、電子媒体提供が「○」となっている保険者Ｂおよび保険者Ｃのそれぞれに対して提供すべき電子媒体を作成する（Ｓ６）。ここで、保険者Ｃに対して送付する電子媒体の作成について説明する。
【００９２】
業務ＡＰ部５０は、保険者Ｃの保険者識別データに基づいて、読取結果記憶部５３を参照して、同一の保険者番号を有する読取データを抽出する。そして、抽出された読取データをリスト化して、読取リストデータを作成する。同様に、保険者Ｃの保険者識別データに基づいて、部分画像記憶部５４を参照し、同一の保険者番号を有する部分画像データを抽出する。そして、抽出した部分画像データをリスト化して、部分画像リストデータを作成する。
【００９３】
さらに、業務ＡＰ部５０は、保険者Ｃの保険者識別データに基づいて、合計額記憶部５６を参照し、請求点合計データ群から、同一の保険者番号を有する請求点合算データを取得する。そして、作成した読取リストデータおよび部分画像リストデータに含まれる同一のページ番号データに基づいて、全面画像記憶部５５を参照し、同一のページ番号を有する全面画像データを抽出する。そして、抽出した全面画像データをリスト化して、全面画像リストデータを作成する。
【００９４】
続いて、業務ＡＰ部５０は、抽出した請求点合算データ、作成した読取リストデータ、部分画像リストデータ、全面画像リストデータに基づいて、請求点合算、読取リスト、部分画像リスト、全面画像リストをそれぞれ示す電子媒体イメージデータを生成する。そして、生成された電子媒体イメージデータを、電子媒体イメージ記憶部５７に格納する。
【００９５】
そして、業務ＡＰ部５０は、電子媒体チャネル７１を介して、電子媒体イメージ記憶部５７に格納した電子媒体イメージデータを電子媒体作成装置５に送信する。電子媒体イメージデータを受信した電子媒体作成装置５は、ＣＤ−ＲＯＭやＤＶＤなどの電子媒体に対して、受信した電子媒体イメージデータの書き込みを行う。図２５に、電子媒体に書き込まれた電子媒体イメージデータの一例を示した。図２５に示したように、電子媒体イメージデータには、保険者Ｃのインデックス２０１、保険者Ｃの合算データ２０２、保険者Ｃの読取データ２０３、保険者Ｃの部分画像２０４、保険者Ｃの全体画像が含まれる。保険者Ｃのインデックス２０１は、電子媒体イメージデータに含まれる各データを参照するために電子媒体に書き込まれる。
【００９６】
業務ＡＰ部５０は、上記電子媒体の書き込み処理と同様に、保険者Ｂに対しても、ＣＤ−ＲＯＭやＤＶＤ等の電子媒体に受信した電子媒体イメージデータを書き込み、保険者Ｂに提供すべき電子媒体を作成する。以上、帳票読取処理の詳細について説明した。
【００９７】
上記実施形態によれば、帳票の画像データをもとに帳票の外形を検出し、帳票の外形に基づいて該帳票が紙折れしているか否かを判定する。そして、帳票が紙折れしていると判定された場合には、帳票の紙折れに関する情報を帳票の画像データと対応付けて記憶媒体に記録する。これにより、帳票を読み取る際に、紙折れが発生している帳票を無効帳票とせずに読み取って、業務効率を向上することが可能となる。また、紙折れに関する情報として、紙折れの発生位置と紙折れ量とを記憶することにより、オペレータが読み取りデータを目視確認する際の利便性を図ることができる。
【００９８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９９】
１００    帳票読取システム
１        帳票読取装置
２        システム制御装置
３        修正端末
４        プリンタ
５        電子媒体作成装置
１０      制御ユニット
１１      ポケット制御部
１２      ポケット機構
１３      ナンバリング制御部
１４      ナンバリング機構
１５      搬送制御部
１６      搬送機構
１７      撮像制御部
１８      撮像機構
１９      ページ番号記憶部
２０      認識部
２１      設定テーブル
５０      業務ＡＰ部
５１      業務設定テーブル
５２      プログラム部
５３      読取結果記憶部
５４      部分画像記憶部
５５      全面画像記憶部
５６      合計額記憶部
５７      電子媒体イメージ記憶部
７０      プリンタチャネル
７１      電子媒体チャネル
８０      ポケット設定テーブル
８１      読取設定テーブル
８２      部分画像設定テーブル
８３      全面画像設定テーブル
８４      サービス設定テーブル
８５      無効帳票設定テーブル
４０１    帳票外形検出部
４０２    形状判定部
４０３    紙折れ情報記憶部
４０４    濃度補正部
４０５    補正画像記憶部
４０６    読取部
４０７    部分画像作成部
４０８    全面画像作成部
【図１】
2010204906.tif 000003
【図２】
2010204906.tif 000004
【図３】
2010204906.tif 000005
【図４】
2010204906.tif 000006
【図５】
2010204906.tif 000007
【図６】
2010204906.tif 000008
【図７】
2010204906.tif 000009
【図８】
2010204906.tif 000010
【図９】
2010204906.tif 000011
【図１０】
2010204906.tif 000012
【図１１】
2010204906.tif 000013
【図１２】
2010204906.tif 000014
【図１３】
2010204906.tif 000015
【図１４】
2010204906.tif 000016
【図１５】
2010204906.tif 000017
【図１６】
2010204906.tif 000018
【図１７】
2010204906.tif 000019
【図１８】
2010204906.tif 000020
【図１９】
2010204906.tif 000021
【図２０】
2010204906.tif 000022
【図２１】
2010204906.tif 000023
【図２２】
2010204906.tif 000024
【図２３】
2010204906.tif 000025
【図２４】
2010204906.tif 000026
【図２５】
2010204906.tif 000027